(57)【要約】      （修正有）【課題】尻部を洗浄する際に、痔や切り傷などの疾病を治癒したり、尻部の血行を促進させるなどの尻部に良い効果を付与することができ、簡易な構成にしてコスト安に実現でき、維持管理にも手間やコストがかからない、温泉を利用した尻洗浄装置を提供する。【解決手段】便器１に放水用ノズル２を退避自在に設け、この放水用ノズル２から水を放水することで便器１に着座した尻部を洗浄する温泉を利用した尻洗浄装置において、前記放水用ノズル２から放水させる水を貯水するタンク３を高所に配設し、このタンク３に温泉水４を貯水し得るように構成し、前記タンク３と前記放水用ノズル２を導水管５によって連結して、温泉水４をその自重により流下させることで前記放水用ノズル２から放水させ尻部を洗浄すると共に、温泉の効能により痔や切り傷などの疾病の治癒や血行の促進を行い得るように構成した。【選択図】        図１
2004263491.tif 000002
【特許請求の範囲】
【請求項１】
便器に放水用ノズルを退避自在に設け、この放水用ノズルから水を放水することで便器に着座した尻部を洗浄する温泉を利用した尻洗浄装置において、前記放水用ノズルから放水させる水を貯水するタンクを高所に配設し、このタンクに導水若しくは給水により温泉水を貯水し得るように構成し、前記タンクと前記放水用ノズルを導水管によって連結して、温泉水をその自重により流下させることで前記放水用ノズルから放水させ尻部を洗浄すると共に、温泉の効能により痔や切り傷などの疾病の治癒や血行の促進を行い得るように構成したことを特徴とする温泉を利用した尻洗浄装置。
【請求項２】
前記タンクは、必要時に補給給水できる温泉水投入部を有する構成としたことを特徴とする請求項１記載の温泉を利用した尻洗浄装置。
【請求項３】
前記タンクは、少なくとも高温な温泉水を半日以上温水状態に保持し得る温水タンクとしたこと特徴とする請求項１，２のいずれか１項に記載の温泉を利用した尻洗浄装置。
【請求項４】
前記放水用ノズルは、手動により退避自在に構成し、突出使用時とした際に手動操作若しくは別に行う放水開始手動操作によって電力を有さずに温水状態の温泉水の放水が開始されるように構成したことを特徴とする請求項１〜３のいずれか１項に記載の温泉を利用した尻洗浄装置。
【発明の詳細な説明】
【０００１】
【発明の属する技術分野】
本発明は、温泉を利用した尻洗浄装置に関するものである。
【０００２】
【従来の技術及び発明が解決しようとする課題】
洋式便器に着座した尻部を洗浄する放水用ノズルを備えた尻部洗浄装置には様々なものが提案されている。
【０００３】
本発明は、尻部を洗浄する際に、単に尻部を洗浄するだけでなく、この洗浄の際に、例えば痔や切り傷などの疾病を治癒したり、尻部の血行を促進させるなどの尻部に良い効果を付与することができ、しかも、手間のかかる施工を要さず、簡易な構成にして極めてコスト安に実現でき、更に、維持管理にも手間やコストがほとんどかからない極めて実用性に秀れた画期的な温泉を利用した尻洗浄装置を提供することを目的としている。
【０００４】
【課題を解決するための手段】
添付図面を参照して本発明の要旨を説明する。
【０００５】
便器１に放水用ノズル２を退避自在に設け、この放水用ノズル２から水を放水することで便器１に着座した尻部を洗浄する温泉を利用した尻洗浄装置において、前記放水用ノズル２から放水させる水を貯水するタンク３を高所に配設し、このタンク３に導水若しくは給水により温泉水４を貯水し得るように構成し、前記タンク３と前記放水用ノズル２を導水管５によって連結して、温泉水４をその自重により流下させることで前記放水用ノズル２から放水させ尻部を洗浄すると共に、温泉の効能により痔や切り傷などの疾病の治癒や血行の促進を行い得るように構成したことを特徴とする温泉を利用した尻洗浄装置に係るものである。
【０００６】
また、前記タンク３は、必要時に補給給水できる温泉水投入部７を有する構成としたことを特徴とする請求項１記載の温泉を利用した尻洗浄装置に係るものである。
【０００７】
また、前記タンク３は、少なくとも高温な温泉水４を半日以上温水状態に保持し得る温水タンクとしたこと特徴とする請求項１，２のいずれか１項に記載の温泉を利用した尻洗浄装置に係るものである。
【０００８】
また、前記放水用ノズル２は、手動により退避自在に構成し、突出使用時とした際に手動操作若しくは別に行う放水開始手動操作によって電力を有さずに温水状態の温泉水４の放水が開始されるように構成したことを特徴とする請求項１〜３のいずれか１項に記載の温泉を利用した尻洗浄装置に係るものである。
【０００９】
【発明の実施の形態】
好適と考える本発明の実施の形態（発明をどのように実施するか）を、図面に基づいてその作用効果を示して簡単に説明する。
【００１０】
便器１よりも高所に配設したタンク３に、導水若しくは給水により単なる水（水道水等）ではなく、温泉水４を貯水し、このタンク３に貯水した温泉水４を、便器１に退避自在に設けた放水用ノズル２とタンク３とを連結する導水管５を介して自重により流下させると、この自重により流下する温泉水４の勢いにより、前記放水用ノズル２から温泉水４が放水され、この放水された温泉水４により、尻部を洗浄できることとなる。
【００１１】
この際、本発明は、尻を洗浄する水として単なる水道水などの水を用いるのではなく、温泉水４を使用するため、尻部を洗浄する際には、尻部の洗浄と共に、温泉水４が有する種々の効能により、例えば痔や切り傷などの疾病の治癒を促したり、尻部の血行を促進できることとなる。
【００１２】
即ち、温泉水４は、水道水などには含まれない人体に良い影響を与えるとされる様々な成分を含んでいるため、傷を癒したり血行を促進させて疲れを取ったりする効能を有し、この温泉水４を用いて尻部を洗浄することで、痔や尻部の切り傷などの疾病を癒したり、血行を良くするマッサージ効果が得られることとなる。
【００１３】
また、体に良い影響を与える成分を含む温泉水４で尻部を洗浄するため、尻部を洗浄した際には、体に良い影響を与える成分が染み入ってくるような印象を強く受けつつ尻部の洗浄を行うことができ、よって、非常に気分良く尻部の洗浄を行えることとなる。
【００１４】
また、タンク３に貯められた温泉水４は、便器１よりも高所から自重により、前記通水管５を介して流下し放水用ノズル２から放水される構成のため、放水用ノズル２からの放水を電動ポンプ等の装置を用いて行う必要がなく、よって、これに伴う配線工事などを必要としない。
【００１５】
従って、本発明は、尻部を洗浄する際に、水道水などの水を用いずに温泉水４を使用することで、尻部を洗浄すると共に例えば痔や切り傷などの疾病の治癒を促したり、尻部の血行を促進させることができ、また、温泉水４を使用して尻部を洗浄することで、非常に気分良く尻部の洗浄を行うことができ、しかも、温泉水４を貯めるタンク３は便器１よりも高所に配設したことで、温泉水４を自重により放水用ノズル２から放水して尻部を洗浄することができる極めて実用性に秀れた画期的な温泉を利用した尻洗浄装置となる。
【００１６】
また、例えば、前記タンク３は、必要時に補給給水できる温泉水投入部７を有する構成とすれば、必要時に必要な量だけの温泉水４を温泉水投入部７を介して単にタンク３内に投入するだけで、タンク３に必要量の温泉水４を貯水できることとなるなど、一層実用的となる。
【００１７】
また、例えば、前記タンク３は、少なくとも高温な温泉水４を半日以上温水状態に保持し得る保温タンクとすれば、タンク３に高温な温泉水４を投入した際、この高温な状態を半日以上維持して温かい温泉水４で尻部を洗浄できることとなる。
【００１８】
また、詳細は不明であるが、温泉水４は、例えば水道水に比べて冷めにくい性質を有するため（これは、温泉水４には、例えば水道水等の水に含まれない様々な陽イオン・陰イオン成分が含まれているためと考えられる。）、温泉水４は温かい状態をタンク３内において更に効率良く維持できることとなる。
【００１９】
また、前述の理由により、温泉水４を長時間に亙って温かい状態に保つことができるため、ヒータなどの保温装置や、このヒータを動かすための電力・電源を必要とせず、よって、大掛かりな配線工事なども不要となる等、一層簡易な構成によりコスト安に施工できることとなり、また、維持管理にもほとんどコストがかからないなど、一層実用的となる。
【００２０】
また、例えば、前記放水用ノズル２は、手動により退避自在に構成し、突出使用時とした際に手動操作若しくは別に行う放水開始手動操作によって電力を有さずに温水状態の温泉水４の放水が開始されるように構成すれば、電力を有さずに手動で放水用ノズル２を使用時の突出した状態及び不使用時の退避した状態に位置変更することができ、また、使用時に、電力を有さずに手動操作若しくは別に行う放水開始手動操作によって温泉水４を放水ノズル２から放水して尻部を洗浄することができるため、簡易な構成により簡単に施工することができ、また、電源が必要ないため、例えば電源を有しない既存のトイレに本発明の洗浄装置を設けたい場合に、わざわざ大掛かりな配線工事を行いトイレに電源を設ける必要がなく、また、洗浄装置自体も電力を有しない簡易な構成であるためコスト安に製作でき、維持管理にもコストや手間がほとんどかからないなど、一層実用的となる。
【００２１】
【実施例】
図面は本発明の一実施例を図示したものであり、以下に説明する。
【００２２】
本実施例は、便器１に放水用ノズル２を退避自在に設け、この放水用ノズル２から温泉水４を放水することで便器１に着座した尻部を洗浄する温泉を利用した尻洗浄装置に係るものである。
【００２３】
便器１の上部高所には、放水用ノズル２から放水する温泉水４を貯水するタンク３を配設した構成としている。
【００２４】
即ち、タンク３は、貯水した温泉水４を自重により流下させて放水用ノズル２から放水し得る高さであり、且つ、タンク３に温泉水４をくみ入れ得る高さに設定した構成としている。
【００２５】
このタンク３には、導水若しくは給水により温泉水４を貯水し得るように構成している。
【００２６】
具体的には、タンク３は、必要時にタンク３内に温泉水４を補給給水できる温泉水投入部７を有している。
【００２７】
更に具体的には、タンク３の上部に温泉水４を投入し得る開口部を設けて温泉水投入部７を構成している。尚、本実施例では、タンク３の上部に開口部を設けることで温泉水投入部７を構成したが、タンク３に温泉水４を導水若しくは給水し得る構成であれば適宜採用しても良い。
【００２８】
即ち、本実施例では、所定の容器に温泉水４をくみ入れ、この容器内の温泉水４を温泉水投入部７からタンク３内に流し込むことで、タンク３内に温泉水４を給水する構成としている。
【００２９】
タンク３は、少なくとも高温な温泉水４を半日以上温水状態に保持し得る温水タンク３とした構成としている。
【００３０】
即ち、タンク３の内部若しくは外部に温泉水４を保温するための断熱材を配設し、この断熱材を配設したタンク３で温泉水４を貯水することで、タンク３内で温泉水４を長時間に亙って保温し続けられるように構成している。
【００３１】
また、本実施例の尻洗浄装置を温泉地のホテルや旅館の各トイレに設けた場合には、前記タンク３の保温性は、利用者が入室する少し前に高温の温泉水４を給水して翌日のチェックアウト時まで、ヒータなどの保温装置を用いずに温水状態を保持できるように構成すると良い。これにより、利用者の入室前に一度タンク３に高温状態の温泉水４を単に給水するだけで、利用者は入室時から退室時まで温水状態の温泉水４で尻部を洗浄することができる。
【００３２】
尚、本実施例では、タンク３に収納する温泉水４は、放水用ノズル２からの放水のみに使用することを想定しているが、例えば、タンク３をやや大きめに形成し、便器１を流す水としても使用するように構成しても良い。
【００３３】
便器１に退避自在に設けた放水用ノズル２と前記タンク３とを通水管５により連結した構成としている。
【００３４】
この通水管５は、保温効果を発揮し得る構成としている。
【００３５】
即ち、通水管５の外面に断熱材を巻回することで、この断熱材の断熱作用により、通水管５に存した温泉水４も良好に保温することができる構成としている。
【００３６】
これにより、タンク３内に貯水した温泉水４をその自重により、通水管５を介して流下させることで放水用ノズル２から放水させて尻部を洗浄すると共に、温泉の効能により痔や切り傷などの疾病の治癒や血行の促進を行うことができる。
【００３７】
また、便器１に退避自在に設けた放水用ノズル２は、手動により退避自在に構成し、突出使用時とした際に手動操作若しくは別に行う放水開始手動操作によって電力を有さずに温水状態の温泉水４を放水が開始されるように構成している。
【００３８】
即ち、例えば、便器１に対して放水用ノズル２を退避自在に位置変更させ得るノズル操作部６を前記便器１に設け、このノズル操作部６には放水用ノズル２からの温泉水４の放水を開始させる放水開始操作部（図示省略）を設けて、便器１の便座に着座した状態において、ノズル操作部６を手動により操作して放水用ノズル２を使用時の突出位置に位置させ、更に、放水開始操作部を温泉水４が放水されるように手動操作することにより、放水用ノズル２から温泉水４を放水させて尻部を洗浄できることとなる。
【００３９】
一方、放水用ノズル２から温泉水４を放水して尻部を洗浄した後に、放水開始操作部を手動操作してこの温泉水４の放水を停止し、更に、ノズル操作部６を手動操作して放水用ノズル２を不使用時の退避位置、即ち、便器１内に突出しない位置に位置させることで、放水用ノズル２を収納した状態とすることができることとなる。
【００４０】
尚、本実施例では、放水用ノズル２を手動操作するためのノズル操作部６に、温泉水４の放水を開始若しくは停止させる放水開始操作部を設けた構成としたが、放水用ノズル２を操作するノズル操作部と、放水用ノズル２からの温泉水４の放水の開始又は停止する放水開始操作部とを別に設けても良い。
【００４１】
また、ノズル操作部６の構成は、放水用放水用ノズル２と連動してこの放水用ノズル２を退避自在に移動させ得る構成であれば適宜採用良く、例えばレバー式としても良いし、ボタン式としても良い。
【００４２】
また、放水用ノズル２は、その先端部を交換可能に構成している。
【００４３】
即ち、放水用ノズル２の先端部に形成した、温泉を放水する放水口部分を交換可能に構成している。
【００４４】
これにより、経時によって放水用ノズル２が温泉水４の成分（特に硫黄成分）で目詰まりを起こしたとしても、温泉水４が放水される放水用ノズル２の先端部を簡単に交換して再び使用することができる。
【００４５】
本実施例は、便器１の便座に通水部（図示省略）を設け、この通水部に尻部を洗浄するための温泉水４を通水し得るように構成している。
【００４６】
即ち、タンク３で温水状態に保たれた温泉水４を通水部に通水することで、この温泉水４の熱を利用して便座を温められるように構成している。
【００４７】
これにより、便座にヒータなどの保温装置を設けず電力を有さずに、便座を温泉水４の熱を利用して温かい状態に保持することができ、よって、複雑な構成を要せずに単にタンク３で保温された温泉水４を便座に通水するだけで、便座を保温できることとなる。
【００４８】
本実施例は、このように、電力を一切使用せず、天然に涌き出る温泉水４を利用して、ほとんどコストをかけずに、着座した尻部を洗浄したり、便座を温めたりできるものであり、更に温泉水４には、水道水には含まれない人体に良い影響を与える成分が含まれているため、痔や切り傷などの疾病を良好に治癒することができる極めて実用性に秀れた画期的な温泉を利用した尻洗浄装置となる。
【００４９】
また、温水状態の温泉水４で尻部を洗浄することは、痔や切り傷などの疾病を有する人は勿論、有しない人に対しても血行を促進させて（マッサージ効果）尻部が気持ち良い状態にさせることができ、また、人体に良い影響を与える成分を含んだ温泉水４で尻部を洗浄することで、人体に良い影響を与える成分が尻部に染み入ってくるような印象を利用者に与えることができる。
【００５０】
そのため、本実施例の温泉を利用した尻洗浄装置を、温泉地のホテルや旅館の各トイレに設置することで、このホテルや旅館のセールスポイントとして十分にアピールできることとなるため、それだけホテルや旅館の価値を向上させることができることとなる。
【００５１】
また、温泉水について更に述べれば、温泉水には、一般的にカリウムイオンやナトリウムイオンなどの陽イオンや、塩素イオンやチオ硫酸イオンなどの陰イオンが種々含有され、これら陽イオンや陰イオンを含んだ温泉水に接することで、これらイオンが体内に吸収される等して体に良い効能が発揮される。
【００５２】
また、温泉水は、涌き出るところによってその温泉水が含有する成分が異なり発揮し得る効能が少しずつ異なるが、温泉水に共通する一般的な適応症としては、痔病，疲労回復，健康増進，冷え性，打ち身などが上げられる。
【００５３】
特に、硫酸塩泉（カルシウム硫酸塩泉，ナトリウム硫酸塩泉，マグネシウム硫酸塩泉）は、カルシウムの鎮静効果等により、痔病，切り傷，皮膚病，ねんざ，やけど，うちみ等に秀れた効能を有する。
【００５４】
また、炭酸水素塩では、含有される重層の作用により、皮膚の表面を軟化させるため、皮膚病に効果がある他、やけどや切り傷にも秀れた効能を有する。また、皮膚についている脂肪分や分泌物も乳状にして洗い流してくれるので、せっけんで洗ったような清浄作用が得られ、この温泉水に接した後は、さっぱりとした清涼感を受けることができる。
【００５５】
本出願人の住む新潟県中頸城郡妙高高原町の赤倉温泉はカルシウム・ナトリウム・マグネシウム−硫酸塩・炭酸水素塩温泉であり、上記硫酸塩泉・炭酸水素塩泉の両方を含んでいる。
【００５６】
尚、温泉水の種類や成分によっては、肌の薄い部分（刺激に敏感な部分）にとて刺激が強すぎる場合があるため、温泉水を使用する場合には、成分や効能の確認が必要となる。
【００５７】
また、本実施例では、タンク３内に貯水した温泉水４を自重により導水管５を介して放水用ノズル２から放水し得る構成としたが、タンクに貯水した温泉水を空気圧により導水管を介して放水用ノズルから放水し得るように構成しても良い。
【００５８】
即ち、この場合には、タンクとして気密性の高いタンクを採用し、このタンクに空気注入部を設けてこの空気注入部から、ポンプ式により、空気を圧縮注入することで、タンク内の空気圧を高め、これにより、タンク内の温泉水を放水用ノズルから放水し得るように構成することが好ましい。
【００５９】
これにより、例えば、タンクを配設する高さを低く設定しても、タンク内の温泉水をこの温泉水の自重と空気圧とによって放水用ノズルから電気を用いずに確実且つ良好に放水することができる。
【００６０】
尚、本発明は、本実施例に限られるものではなく、各構成要件の具体的構成は適宜設計し得るものである。
【００６１】
【発明の効果】
本発明は上述のように構成したから、尻部を洗浄する際に、水道水などの水を用いずに温泉水を使用することで、尻部を洗浄すると共に例えば痔や切り傷などの疾病の治癒を促したり、尻部の血行を促進させることができ、また、温泉水を使用して尻部を洗浄することで、非常に気分良く尻部の洗浄を行うことができ、しかも、温泉水を貯めるタンクは便器よりも高所に配設したことで、温泉水を自重により放水用ノズルから放水して尻部を洗浄することができる極めて実用性に秀れた画期的な温泉を利用した尻洗浄装置となる。
【００６２】
また、請求項２記載の発明においては、必要時に必要な量だけの温泉水を温泉水投入部を介して単に投入するだけで、タンクに必要量の温泉水を貯水することができる極めて実用性に秀れた画期的な温泉を利用した尻洗浄装置となる。
【００６３】
また、請求項３記載の発明においては、タンクに高温な温泉水を投入した際、この高温な状態を半日以上維持して温かい温泉水で尻部を洗浄することができる。
【００６４】
また、温泉水を長時間に亙ってタンクで温かい状態に保つことができるため、ヒータなどの保温装置や、このヒータを動かすための電力を必要とせず、よって、大掛かりな配線工事なども不要となる等、一層簡易な構成によりコスト安に施工できることとなり、また、維持管理にもほとんどコストがかからない極めて実用性に秀れた画期的な温泉を利用した尻洗浄装置となる。
【００６５】
また、請求項４記載の発明においては、電力を有さずに放水用ノズルを使用時の突出した状態又は不使用時の退避した状態に位置変更することができ、また、使用時に、電力を有さずに手動操作若しくは別に行う放水開始手動操作によって温泉水を放水ノズルから放水して尻部を洗浄することができるため、簡易な構成により簡単に施工することができ、また、電源が必要ないため、例えば電源を有しない既存のトイレに本発明の洗浄装置を設けたい場合にわざわざ大掛かりな配線工事を行いトイレに電源を設ける必要がなく、また、洗浄装置自体も電力を有しない簡易な構成であるためコスト安に製作でき、維持管理にもコストや手間がほとんどかからない極めて実用性に秀れた画期的な温泉を利用した尻洗浄装置となる。
【図面の簡単な説明】
【図１】本実施例の説明側面図である。
【符号の説明】
１  便器
２  放水用ノズル
３  タンク
４  温泉水
５  導水管
７  温泉水投入部
【図１】
2004263491.tif 000003